(57)【特許請求の範囲】
【請求項１】
口首部を覆ってヒンジキャップが装着された外側チューブと、該外側チューブの内側に取り付けられる内側チューブとからなる複数室分離型のチューブ容器であって、
前記ヒンジキャップは前記外側チューブが嵌め込まれる装着部と、該装着部の基板と垂直に立設する周壁に囲まれて該基板に開口形成された内容物が注出される口部を開閉する蓋部とからなり、
前記口部は仕切片によって中央で２つの区画に分割されており、前記内側チューブの口首部は、前記分割された口部の一方の区画の内周断面形状と合致する外周断面形状を備えており、前記一方の区画には、前記口部の軸方向に延設する縦リブが前記周壁の内周面に沿って設けられており、該縦リブを前記内側チューブの外周面に食い込ませつつ、前記内側チューブの口首部を前記一方の区画に挿入係止して、前記内側チューブの口首部を前記外側チューブの口首部に位置決め固定するチューブ容器。
【請求項２】
前記蓋部の天井板の内側面には、前記装着部の周壁と対応する位置に一対の円環状のリブによるリブ溝が設けられ、前記装着部の前記仕切片と対応する位置に直線状の当接リブが設けられ、前記蓋部により前記口部を閉塞した際に、前記周壁の上端が前記リブ溝に挿入係止されると共に、前記仕切片の上端が前記当接リブに当接することにより、前記２つの区画が仕切られる請求項１記載のチューブ容器。
【発明の詳細な説明】
【０００１】
【産業上の利用分野】
本発明は、外側チューブと内側チューブとからなる複数室分離型のチューブ容器に関する。
【０００２】
【従来の技術及び発明が解決しようとする課題】
チューブ容器は、内容物として例えば化粧品、日用品、接着剤等を、ペースト状、クリーム状、ゼリー状等の状態で収容するもので、容器の胴部を押圧することにより、口首部から内容物を手軽に注出させることが可能な容器である。また、異なる色調の内容物を同時に注出させて特異な色彩感覚を与える場合や、使用時に混合して用いられる内容物を各々分けて収容しておくことによって保存時に化学反応による劣化を防止する場合等に用いられる、内容物を分離した状態で各々収容しておくことが可能な２室分離型のチューブ容器も種々開発されている。このような２室分離型のチューブ容器は、例えば実公昭５７−２０５１８号公報、実公平６−２８４３９号公報、特開平９−２８６４５５号公報等に記載されている。
【０００３】
一方、２室分離型のチューブ容器においては、各々の室に収容された内容物を同時にスムースに注出させるための工夫がなされており、例えば実公昭５７−２０５１８号公報によれば、一対の内側チューブを、口首部を隣接させた状態で外側チューブの口首部に嵌め込むようにしつつ装着している。また実公平６−２８４３９号公報によれば、外側チューブの口首部と内側チューブの口首部に、互いに係止可能な凹凸部を設けると共にこれらを係止することによって、内側チューブの口首部を外側チューブの口首部に位置決めしている。さらに特開平９−２８６４５５号公報によれば、内側チューブの口首部はアダプタを介して外側チューブの口首部に固定されており、内側チューブの口首部から注出された内容物を、アダプタを経て外側チューブの口首部の所定の領域に案内している。なお、これらの公報に記載の２室分離型のチューブ容器によれば、外側チューブの口首部に装着されるキャップは、いずれもネジの螺合を介して装着されるスクリューキャップとなっている。
【０００４】
しかしながら、上記従来の２室分離型のチューブ容器によれば、特殊な構造の外側チューブが必要になると共に、外側チューブの口首部に内側チューブの口首部を位置決め固定するための構成が複雑になり、またこれらの部品の加工も煩雑になってコストが高くなる。また、スクリューキャップを螺合装着する際に、キャップの天面内側において各室からはみでた内容部が混合されやすい。さらに、内側チューブの口首部をアダプタを介して外側チューブの口首部に連結した場合には、アダプタが邪魔になって外側チューブを最後まで押圧しきれず、内容物の残量を生じ易い。
【０００５】
本発明は、簡易な構成で外側チューブの口首部に内側チューブの口首部を容易に位置決め固定できると共に、キャップの天面内側における内容物の混合を効果的に回避でき、また各チューブを十分に押圧しきって多くの残量が生じるのを効果的に回避できるチューブ容器の提供を目的とする。
【０００６】
【課題を解決するための手段】
本発明は、口首部を覆ってヒンジキャップが装着された外側チューブと、該外側チューブの内側に取り付けられる内側チューブとからなる複数室分離型のチューブ容器であって、前記ヒンジキャップは前記外側チューブが嵌め込まれる装着部と、該装着部に開口形成された内容物が注出される口部を開閉する蓋部とからなり、前記口部は仕切片によって中央で２つの区画に分割されており、前記内側チューブの口首部は、前記分割された口部の一方の区画の内周断面形状と合致する外周断面形状を備えており、前記内側チューブの口首部を前記一方の区画に挿入係止して、前記内側チューブの口首部を前記外側チューブの口首部に位置決め固定するチューブ容器を提供することにより、上記目的を達成したものである。
【０００７】
【発明の実施の形態】
図１（ａ）及び（ｂ）に示す本発明の好ましい実施形態に係るチューブ容器１０は、内容物として例えば歯磨剤を収容した２室分離型のチューブ容器であって、口首部１２にヒンジキャップ１４が装着された外側チューブ１１と、外側チューブ１１の内側に取り付けられる内側チューブ１３とからなる。本実施形態のチューブ容器１０によれば、外側チューブ１１と内側チューブ１３との間の第１室１５には、例えばフッ化ナトリウムからなる成分を配合した歯磨剤が、内側チューブ１３の内側の第２室１６には、例えばカルシウム塩からなる成分を配合した歯磨剤が各々充填収容され、これらをヒンジキャップ１４の口部１７から、同時に略等量注出させつつ使用することを可能にするものである。
【０００８】
そして、本実施形態のチューブ容器１０によれば、図２（ａ），（ｂ）及び図３（ａ），（ｂ）にも示すように、ヒンジキャップ１４の口部１７は仕切片１８によって断面が半円形の２つの区画に分割されており、内側チューブ１３の口首部１９は、分割された口部１７の一方の区画２０の内周断面形状と合致する半円形の外周断面形状をその先端係止部２６において備えており、内側チューブ１３の口首部１９をヒンジキャップ１４の口部１７の一方の区画２０に挿入係止することによって、内側チューブ１３の口首部１９を外側チューブ１１の口首部１２に位置決め固定できるようになっている。
【０００９】
本実施形態によれば、外側チューブ１１は、その胴部２１がアルミラミネートフィルム、シリカ蒸着フィルム、エチレン・ビニルアルコール共重合体フィルム等のバリヤー性に優れる樹脂フィルム材料によって円筒状に形成されており、この胴部２１の一端部に、肩部２２と口首部１２とを一体成形した円形の口頭部２３を熱接合することによって容易に得ることができる。なお、外側チューブ１１の口頭部２３としては、チューブ容器の口頭部として一般に用いられる、ポリオレフィン系樹脂を用いた公知の各種のものを用いることができる。また、外側チューブ１１の胴部２１の他端部は、第１室１５及び第２室１６の内部に歯磨剤が各々充填収容された後に、内側チューブ１３の他端部と共に帯状に熱シールされて、各歯磨剤を第１室１５及び第２室１６の内部に各々封入する。
【００１０】
内側チューブ１３は、ポリオレフィン系樹脂からなり、ブロー成形等によって、胴部２４と口頭部２５とが一体として形成される。また内側チューブ１３は、後述するヒンジキャップ１４の材質よりも軟らかい材質を有しており、口頭部２５の上方に突出する半円形の外周断面形状を備える口首部１９の先端係止部２６を、ヒンジキャップ１４の口部１７の一方の区画２０に、圧縮変形させるようにしつつスムースに挿入係止できるようになっている。なお、内側チューブ１３の胴部２４の他端部は、第１室１５及び第２室１６の内部に歯磨剤が各々充填収容された後に、外側チューブ１１の他端部と共に帯状に熱シールされて、歯磨剤を第２室１６の内部に封入する。
【００１１】
ヒンジキャップ１４は、ポリオレフィン系樹脂からなり、射出成形等によって、装着部２７とこの装着部２７に対してヒンジ接合された蓋部２８とを一体として形成することにより容易に得ることができる。装着部２７は、口首部１２を外側から覆って外側チューブ１１の上方から嵌め込むようにして装着され、下面側に設けた筒状係止スリーブ２９の先端係止突起３０を、口首部１２の外周面に沿って形成した係止リブ３１に係止することによって、外側チューブ１１の上端に固定される。これによって、装着部２７の中央に開口形成された円形の口部１７は、口首部１２の上端開口の内方において当該上端開口と同心状に開口して配置される。また、装着部２７には、口部１７を囲む周壁３２が、その内壁面を装着部２７の基板３３と垂直に立設させつつ基板３３の上方及び下方に亘って設けられており、また口部１７にはこれを中央で２分割するように仕切片１８が設けられている。なお、本実施形態によれば、ヒンジキャップ１４を介して内側チューブ１３の口首部１９を外側チューブ１１の口首部１２に位置決め固定するので、外側チューブ１１に内側チューブ１３を係止するための特別な改良を何ら加えることなく、従来の一般的な外側チューブと同様のものを使用することが可能である。
【００１２】
そして、本実施形態によれば、仕切片１８によって２分割された一方の区画２０には、当該仕切片１８及び周壁３２の内周面に沿って、口部１７の軸方向に延設する縦リブ３４が複数内側に突出して設けられている。縦リブ３４が設けられていることにより、内側チューブ１３の口首部１９の先端係止部２６を一方の区画２０に挿入係止する際に、縦リブ３４を内側チューブ１３の口首部１９（先端係止部２６）の外周面に食い込ませることによって、内側チューブ１３の口首部１９を外側チューブ１１の口首部１２にヒンジキャップ１４を介してさらに強固に位置決め固定することが可能になる。なお、縦リブ３４は、口部１７の軸方向に延設して設けられているので、ヒンジキャップ１４の成形用の金型を抜く際に障害となることがない。
【００１３】
また、本実施形態によれば、図４（ａ）及び（ｂ）に示すように、ヒンジキャップ１４の口部１７の一方の区画２０には、当該一方の区画２０の内周方向に延設する横リブ４０を、周壁３２の内周面に沿って仕切片１８と対向する位置に設けておき、この横リブ４０に内側チューブ１３の口首部１９（先端係止部２６）の外周面を係止して、当該内側チューブ１３の口首部１９を外側チューブ１１の口首部１２にヒンジキャップ１４を介して位置決め固定することもできる。すなわち、横リブ４０は、周壁３２の内周面における仕切片１８と離間した位置に２段に設けられていると共に、内側チューブ１３の先端係止部２６の外周面には、これの周方向の全周に亘って係止突条４１が２段に形成されている。そして、内側チューブ１３の先端係止部２６を一方の区画２０に挿入係止する際に、係止突条４１が横リブ４０を乗り越えるようにしつつスナップ形式で係止突条４１に係止されることにより、内側チューブ１３の口首部１９が確実に固定される。なお、横リブ４０は、仕切片１８と離間してこれと対向する位置に設けられているので、ヒンジキャップ１４の成形用の金型を抜く際に、無理抜きをスムースかつ容易に行うことが可能になる。また横リブ４０や係止突条４１は必ずしも２段設ける必要はない。
【００１４】
ヒンジキャップ１４の蓋部２８は、ヒンジ接合部３５（図２（ｂ）参照）を介して装着部２７に回動可能に接合され、口部１７を開閉する。また、蓋部２８の天井板３６の内側面には、装着部２７の周壁３２と対応する位置に一対の円環状のリブによるリブ溝３７が設けられ、また装着部２７の仕切片１８と対応する位置に直線状の当接リブ３８が設けられている。蓋部２８により口部１７を閉塞した際に、周壁３２の上端がリブ溝３７に挿入係止されると共に、仕切片１８の上端が当接リブ３７に当接することにより、第１室１５と第２室１６はその先端部分においても確実に仕切られることになる。
【００１５】
本実施形態によれば、歯磨剤を充填収容したチューブ容器１０を製造する際に、当該チューブ容器１０の製造ラインにおいて、第１室１５と第２室１６に歯磨剤を各々充填する工程に先立って、内側チューブ１３の口首部１９の先端係止部２６を、ヒンジキャップ１４の口部１７の一方の区画２０に挿入係止するだけの簡易な作業によって、内側チューブ１３の口首部１９を外側チューブ１１の口首部１２にヒンジキャップ１４を介して容易に位置決めすることができる。これによって他端部が熱シールされるまでの間、外側チューブ１１の内部における内側チューブ１３の位置ずれを効果的に防止することが可能になる。しかる後に第１室１５と第２室１６に歯磨剤を充填し、外側チューブ１１の胴部２１の他端部と内側チューブ１３の胴部２４の他端部とを重ね合わせつつ帯状に熱シールすることによって、歯磨剤を収容したチューブ容器１０が製品化される。
【００１６】
そして、本実施形態のチューブ容器１０によれば、簡易な構成で外側チューブ１１の口首部１２に内側チューブ１３の口首部１９を容易に位置決め固定できると共に、キャップ１４の天面を構成する天井板３６の内側における歯磨剤の混合を効果的に回避でき、また各チューブ１１，１２を十分に押圧しきって多くの残量が生じるのを効果的に回避できる。すなわち、本実施形態によれば、射出成形等の一般の成形方法によって形成されたヒンジキャップ１４の口部１７の一方の区画２０に、ブロー成形等の一般の成形方法によって形成された内側チューブ１３の口首部１９の先端係止部２６を挿入するだけの簡易な構成によって、ヒンジキャップ１４が装着される外側チューブ１１の構造に何ら変更を加えることなく、容易に内側チューブ１３の口首部１９を位置決め固定することが可能になる。また、本実施形態によれば、区画された口部１７を開閉するキャップとしてヒンジキャップ１４が用いられており、スクリューキャップを用いる場合と比較して、天井板３６を回転させる必要がないので、口部１７における各室１５，１６からの歯磨剤のはみだしを効果的に回避できると共に、はみでた歯磨剤の混合を確実に防止することができる。さらに、本実施形態によれば、内側チューブ１３の口首部１９を外側チューブ１１の口首部１２に接続するアダプタを必要としないので、外側チューブ１１及び内側チューブ１３を最後まで容易に押圧することができ、各チューブ１１，１３に歯磨剤の残量が生じるのを効果的に回避することが可能になる。
【００１７】
なお、本発明は上記実施形態に限定されることなく種々の変更が可能である。例えば、ヒンジキャップの口部の一区画の内周面に沿って縦リブや横リブを設ける必要は必ずしもなく、ヒンジキャップの口部を円形形状とする必要は必ずしもない。また、本発明のチューブ容器は、歯磨剤に限定されることなく、化粧品、日用品、接着剤等のその他の種々の内容物を収容する容器として使用することもできる。
【００１８】
【発明の効果】
本発明のチューブ容器によれば、簡易な構成で外側チューブの口首部に内側チューブの口首部を容易に位置決め固定できると共に、キャップの天面内側における内容物の混合を効果的に回避でき、また各チューブを十分に押圧しきって多くの残量が生じるのを効果的に回避できる。
【図面の簡単な説明】
【図１】（ａ）は本発明の一実施形態に係るチューブ容器の正面図、（ｂ）は同チューブ容器の図２（ａ）のＡ−Ａに沿った断面図である。
【図２】（ａ）は本発明の一実施形態に係るチューブ容器の図１（ａ）を上方から見た平面図、（ｂ）はヒンジキャップの蓋部を開いた状態の同平面図である。
【図３】（ａ）は本発明の一実施形態に係るチューブ容器の要部を示す図２（ａ）のＡ−Ａに沿った断面図、（ｂ）は本発明の一実施形態に係るチューブ容器の要部を示す図２（ａ）のＢ−Ｂに沿った断面図である。
【図４】（ａ）はヒンジキャップに内側チューブの口首部を挿入係止する他の形態を説明する要部断面図、（ｂ）は（ａ）のＣ−Ｃに沿った部分断面図である。
【符号の説明】
１０  チューブ容器
１１  外側チューブ
１２  外側チューブの口首部
１３  内側チューブ
１４  ヒンジキャップ
１５  第１室
１６  第２室
１７  ヒンジキャップの口部
１８  仕切片
１９  内側チューブの口首部
２０  口部の一方の区画
２６  内側チューブの口首部の先端係止部
２７  ヒンジキャップの装着部
２８  ヒンジキャップの蓋部
３２  口部の周壁
３４  縦リブ
３５  ヒンジ接合部
４０  横リブ
４１  係止突条
【図１】
0004086494.tif 000002
【図２】
0004086494.tif 000003
【図３】
0004086494.tif 000004
【図４】
0004086494.tif 000005